(57)【要約】【課題】石油系の成分や化学合成された成分等の身体に悪影響を及ぼす危険性のある成分を含む薬剤を使用することなく、床表面の洗浄、保護及びつや出しを安全に行うことができるようにする。【解決手段】床掃除用シート１は、レーヨン、ポリエステル、ポリプロピレン又はポリエチレンの単独又は複数を混合した不織布からなるシート状の基材２の片面に、例えば１００μｍ程度のメッシュロールコータ２１を用いて、食用にも使用される着色剤３が塗布された後、着色剤３の乾燥を待って、基材２における着色剤３が塗布された着色面２ａに、例えば６０μｍ程度のメッシュロールコータ２２を用いて、天然材料のみからなる所定量の液剤４が塗布され、液剤４が乾燥していない状態のままで所定形状に裁断されて包装される。【選択図】図２
2005304772.tif 000002
【特許請求の範囲】
【請求項１】
モップの柄の一端側に設けられた取付部に着脱自在に装着される床掃除用シートにおいて、
前記取付部に装着した際に床表面に対向すべき一方の面を着色面とするとともに、少なくとも該着色面から床表面の洗浄、保護及びつや出し機能を有する単一又は複数の天然原料からなる所定量の液剤を含浸させたことを特徴とする床掃除用シート。
【請求項２】
前記一方の面に、着色液を塗布して乾燥させた後に前記液剤を塗布したことを特徴とする請求項１に記載の床掃除用シート。
【請求項３】
前記液剤は、５０〜６０重量％のつや出し効果を有する植物油と、１０〜３０重量％の保護及びつや出し効果を有する蜜蝋と、１０〜２５重量％の洗浄効果を有する柑橘油と、５〜１０重量％の香料と、を含むことを特徴とする請求項１又は２に記載の床掃除用シート。
【発明の詳細な説明】
【技術分野】
【０００１】
本発明は、モップ状の掃除具に着脱自在に装着され、フローリング等の床材の表面の掃除に使用される床掃除用シートに関する。
【背景技術】
【０００２】
床材の表面に付着した塵埃を除去する手段として、従来より、モップが使用されている。従来のモップは、柄の先端に、房状やシート状等の布、又は、使い捨てのシート状の不織布を着脱自在に装着するようにしている。房状やシート状等の布に予め薬剤処理を施したものや、不織布等の使い捨てのシートに予め薬液を含浸させたもの、又は使用時に薬液を含浸させるものもある（例えば、特許文献１参照。）。
【０００３】
このようなモップにおいて、予め薬液を含浸させた使い捨てのシートを着脱自在にしたものが、使用後の利便性に優れており、一般家庭での使用に適している。房状やシート状等の布を着脱自在にしたものは使用によって汚損した布を洗浄しなければならず、使用時に薬液を含浸させるものでは適量の薬液を含浸させる作業が煩雑かつ困難である。
【０００４】
また、フローリングの表面の保護及びつや出しを目的として、不織布にワックス剤を含浸又は塗布したものがある。ワックス剤としては、流動パラフィン等の合成ワックス剤が多用されている。
【特許文献１】特開平８−２４３０６７号公報
【発明の開示】
【発明が解決しようとする課題】
【０００５】
近年、消費者の安全志向の高まりにより、家庭等で使用される商品に対する安全性の要請が強くなっている。
【０００６】
しかしながら、従来のモップに使用される使い捨ての床掃除用シートでは、床表面から塵埃を除去するための洗浄剤や床表面の保護及びつや出しのためのワックス剤として、石油系の成分や化学合成された成分を含む原料が使用されていた。このため、従来の使い捨ての床掃除用シートを使用して床表面の清掃を行うと、床表面に洗浄剤やワックス剤の化学成分が残留し、シックハウス症候群等のアレルギー性疾患の原因となるだけでなく、乳幼児やペットの口から体内に入る虞もある。
【０００７】
この発明の目的は、石油系の成分や化学合成された成分等の身体に悪影響を及ぼす危険性のある成分を含む薬剤を使用することなく、床表面の洗浄、保護及びつや出しを安全に行うことができる床掃除用シートを提供することにある。
【課題を解決するための手段】
【０００８】
この発明は、上記の課題を解決するための手段として、以下の構成を備えたものである。
【０００９】
（１）モップの柄の一端側に設けられた取付部に着脱自在に装着される床掃除用シートにおいて、
前記取付部に装着した際に床表面に対向すべき一方の面を着色面とするとともに、少なくとも該着色面から床表面の洗浄、保護及びつや出し機能を有する単一又は複数の天然原料からなる所定量の液剤を含浸させたことを特徴とする。
【００１０】
この構成においては、モップの柄の一端側に構成された取付部に装着した状態で、床表面に対向する着色面から床表面の洗浄、保護及びつや出し機能を有する単一又は複数の天然原料の所定量の液剤が含浸される。したがって、所定の色に着色されているか否かでモップの柄の取付部に対する装着時の表裏面が容易に認識され、着色面を床表面に当接させたままモップを移動させると床表面の洗浄、保護及びつや出しが行われ、床表面には自然原料のみが残留する。また、多量の液剤が床表面に漏出することがない。
【００１１】
（２）前記一方の面に、着色液を塗布して乾燥させた後に前記液剤を塗布したことを特徴とする。
【００１２】
この構成においては、床表面に対向すべき一方の面に着色液を塗布する工程、着色液を乾燥させる工程、着色液を塗布した面と同一の面に床表面の洗浄、保護及びつや出し効果を有する液剤を塗布する工程によって床掃除用シートが製造される。したがって、所定の色に着色されているか否かでモップの柄の取付部に対する装着時の表裏面が容易に認識され、着色面を床表面に当接させたままモップを移動させると床表面の洗浄、保護及びつや出しが行われ、床表面には自然原料のみが残留する。
【００１３】
（３）前記液剤は、５０〜６０重量％のつや出し効果を有する植物油と、１０〜３０重量％の保護及びつや出し効果を有する蜜蝋と、１０〜２５重量％の洗浄効果を有する柑橘油と、５〜１０重量％の香料と、を含むことを特徴とする。
【００１４】
この構成においては、床表面の洗浄、保護及びつや出し最適な成分の液剤が着色面に塗布される。
【発明の効果】
【００１５】
上記の構成により、この発明によれば以下の効果を奏することができる。
【００１６】
（１）モップの柄の一端側に構成された取付部に装着した状態で、床表面に対向する着色面から床表面の洗浄、保護及びつや出し効果を有する単一又は複数の天然原料の液剤を含浸させることにより、所定の色に着色されているか否かでモップの柄の取付部に対する装着時の表裏面を容易に認識することができる。また、床表面の洗浄、保護及びつや出し作業後に床表面には自然原料のみが残留するため、床表面に洗浄剤やワックス剤の化学成分が残留することがなく、シックハウス症候群等のアレルギー性疾患を誘発したり、乳幼児やペットの口から体内に危険物が入る虞もなく、床表面の洗浄、保護及びつや出し作業を安全に行うことができる。また、多量の液剤が漏出して床表面を湿潤にすることがなく、乾拭きを不要にすることができる。
【００１７】
（２）床表面に対向すべき一方の面に着色液を塗布する工程、着色液を乾燥させる工程、着色液を塗布した面と同一の面に床表面の洗浄、保護及びつや出し効果を有する液剤を塗布する工程によって製造することにより、所定の色に着色されているか否かでモップの柄の取付部に対する装着時の表裏面を容易に認識することができる。また、床表面の洗浄、保護及びつや出し作業後に床表面には自然原料のみが残留するため、床表面に洗浄剤やワックス剤の化学成分が残留することがなく、シックハウス症候群等のアレルギー性疾患を誘発したり、乳幼児やペットの口から体内に危険物が入る虞もなく、床表面の洗浄、保護及びつや出し作業を安全に行うことができる。
【００１８】
（３）床表面の洗浄、保護及びつや出し最適な成分の液剤を着色面に塗布することにより、床表面の洗浄、保護及びつや出し作業を安全かつ確実に行うことができる。
【発明を実施するための最良の形態】
【００１９】
図１は、この発明の実施形態に係る床掃除用シートの使用状態を示す外観図である。床掃除用シート１は、モップ１０の柄１１の下端に軸支された取付部１２に着脱自在に装着される。取付部１２は、略平板状を呈し、上面の略中央部に軸支部１３が形成されている。軸支部１３は、ピン１３ａを介して柄１１の下端部に回動自在に支持されている。取付部１２の上面には、床掃除用シート１の互いに平行な２辺を挟持する図示しない挟持部材が設けられている。取付部１２の下面は全面を弾性材によって構成されている。床掃除用シート１は、取付部１２の上面から取付部１２の下面を経由して再び取付部１２の上面に至る間に巻着される。
【００２０】
なお、モップ１０の形状は、図１に示すものに限らず、床掃除用シート１を装着可能な取付部１２を備えた全てのモップに対して、この発明の実施形態に係る床掃除用シート１を適用することができる。
【００２１】
図２は、上記床掃除用シートの製造工程を示す図である。床掃除用シート１は、図２（Ａ）に示すように、レーヨン、ポリエステル、ポリプロピレン又はポリエチレンの単独又は複数を混合した不織布からなるシート状の基材２の片面に、例えば１００μｍ程度のメッシュロールコータ２１を用いて着色剤３が塗布された後、着色剤３の乾燥を待って、図２（Ｂ）に示すように、基材２における着色剤３が塗布された着色面２ａに、例えば６０μｍ程度のメッシュロールコータ２２を用いて液剤４が塗布され、液剤４が乾燥していない状態のままで所定形状に裁断されて包装される。
【００２２】
上述の工程によって製造されるため、床掃除用シート１は、図３に示すように、基材２における着色面２ａ側に反対側の面である裏面２ｂよりも多くの液剤４を含浸している。このため、摩擦によって床表面を傷つけることなく充分な量の液剤４を床表面に塗布して保護及びつや出しの効果を得るためには、着色面２ｂが外側になるようにして床掃除用シート１をモップ１０の取付部１２に装着すべきであるが、着色面２ａは、着色剤３によって裏面２ｂとは異なる色に着色されており、使用者は視覚によって裏面２ｂと容易に峻別することができる。
【００２３】
上記着色剤３は、例えば、メタノールに黄色４号及び赤色１０４号等の食用にも使用できる着色剤を溶融させて構成される。
【００２４】
上記液剤４については、つや出し機能を有する成分は、液剤４全体の５０〜６０％程度が好ましく、これより少なくなるとつや出し効果や埃取り効果を充分に発揮できず、これより多くなると床表面に多量の油分が残留してべたつきを生じる。
【００２５】
床の保護及びつや出し機能を有する成分は、液剤４全体の１０〜３０％程度が好ましく、これより少なくなると床表面に皮膜を形成することができず、これより多くなると皮膜が厚くなり過ぎて床材の呼吸を妨げる。
【００２６】
洗浄機能を有する成分は、液剤４全体の１０〜２５％程度が好ましく、これより少なくなると床表面の塵埃を充分に吸着除去することができない。
【００２７】
香料成分は、液剤４全体の５〜１０％程度とすることで心地よい香りを発散し、リラックス効果を発揮したが、これより少なくなると香りが薄く、これより多くなると香りが過剰になって不快感を与える。
【００２８】
なお、つや出し機能を有する成分であるか保護機能を有する成分であるかを厳格に峻別することは困難であり、保護及びつや出し機能を有する成分として分類すれば充分である。このため、以下では、保護及びつや出し機能を有する成分として取り扱う。
【００２９】
上記のことから、例えば、第１の実施例として、保護及びつや出し機能を有する植物油としての１８０部のオリーブオイル、１００部のスイートアルモンド油及び１００部のカルナバ粉末と、洗浄機能を有する５０部のオレンジオイルと、香料としての５部のオレンジと、を攪拌して混合したものを、メッシュロールコータを用いて１ｍ2 の基材２に１１〜１３．５ｇを塗布した。
【００３０】
また、第２の実施例として、保護及びつや出し機能を有する植物油としての１２０部のホホバ油、８０部のアボガド油及び５０部の蜜蝋と、洗浄機能を有する１５０部のオレンジオイルと、香料としての１０部のグレープフルーツオイルと、を攪拌して混合したものを、メッシュロールコータを用いて１ｍ2 の基材２に１２〜１３．６ｇを塗布した。
【００３１】
上記第１及び第２の実施例において、液剤４の含浸量を上記の所定量に規定することにより、床掃除用シート１を用いて床表面を払拭した際に、床表面に液剤４が漏出して日か表面を湿潤にすることがない。このため、床表面の乾燥状態が維持され、乾拭き作業を行う必要がない。
【図面の簡単な説明】
【００３２】
【図１】この発明の実施形態に係る床掃除用シートが適用されるモップを示す図である。
【図２】上記床掃除用シートの製造工程を示す図である。
【図３】上記床掃除用シートの構成を示す拡大断面図である。
【符号の説明】
【００３３】
１  床掃除用シート
２  基材
２ｂ  着色面
３  着色剤
４  液剤
１０  モップ
１１  柄
１２  取付部
２１，２２  メッシュロールコータ
【図１】
2005304772.tif 000003
【図２】
2005304772.tif 000004
【図３】
2005304772.tif 000005